(57)【要約】【課題】  オートレジューム機能をより有効に活用することが可能なプロジェクター等を提供すること。【解決手段】  プロジェクター１００が、外部装置から第１のコンテンツが入力される第１の入力部１１０と、携帯型情報記憶媒体に記憶された第２のコンテンツが入力される第２の入力部１２０と、第２のコンテンツを再生する再生部１３０と、投写部１９０と、第２のコンテンツの再生が停止される再生停止状態になったかどうかを判定する停止判定部１５４と、再生停止状態になった場合、第２のコンテンツの再生停止位置を示す停止情報１６２を不揮発性メモリー１６０に記憶する記憶制御部１５６と、再開状態になったかどうかを判定する再開判定部１５５と、再開状態になった場合、停止情報１６２に基づき、再生停止位置から第２のコンテンツを再生部１３０に再生させる再生制御部１５３を含んで構成される。【選択図】  図２
2011053454.tif 000002
【特許請求の範囲】
【請求項１】
外部装置から第１のコンテンツが入力される第１の入力部と、
携帯型情報記憶媒体に記憶された第２のコンテンツが入力される第２の入力部と、
前記第２のコンテンツを再生する再生部と、
前記第１のコンテンツまたは前記第２のコンテンツに基づく画像を投写する投写部と、
前記第２のコンテンツの再生が停止される再生停止状態になったかどうかを判定する停止判定部と、
前記再生停止状態になった場合、前記第２のコンテンツの再生停止位置を示す停止情報を不揮発性メモリーに記憶する記憶制御部と、
前記第１の入力部を介した前記第１のコンテンツの入力から前記第２の入力部を介した前記第２のコンテンツの入力への第１の切替操作により、あるいは、前記携帯型情報記憶媒体が前記第２のコンテンツを出力可能な位置に配置されることにより、前記再生停止状態から再生開始状態になったことを示す再開状態になったかどうかを判定する再開判定部と、
前記再開状態になった場合、前記停止情報に基づき、前記再生停止位置から前記第２のコンテンツを前記再生部に再生させる再生制御部と、
を含むプロジェクター。
【請求項２】
外部装置から第１のコンテンツが入力される第１の入力部と、
携帯型情報記憶媒体に記憶された第２のコンテンツが入力される第２の入力部と、
操作内容を示す操作情報が入力される操作情報入力部と、
前記第２のコンテンツを再生する再生部と、
前記第１のコンテンツまたは前記第２のコンテンツに基づく画像を投写する投写部と、
前記第２のコンテンツの再生が停止される再生停止状態になったかどうかを判定する停止判定部と、
前記再生停止状態になった場合、前記第２のコンテンツの再生停止位置を示す停止情報を不揮発性メモリーに記憶する記憶制御部と、
前記操作内容が電源オン操作を示す前記操作情報が入力されることにより、前記再生停止状態から再生開始状態になったことを示す再開状態になったかどうかを判定する再開判定部と、
前記再開状態になった場合、前記停止情報に基づき、前記再生停止位置から前記第２のコンテンツを前記再生部に再生させる再生制御部と、
を含むプロジェクター。
【請求項３】
請求項１、２のいずれかに記載のプロジェクターにおいて、
前記停止判定部は、前記第２の入力部を介した前記第２のコンテンツの入力から前記第１の入力部を介した前記第１のコンテンツの入力への第２の切替操作により、前記再生停止状態になったかどうかを判定する、
プロジェクター。
【請求項４】
請求項１に記載のプロジェクターにおいて、
前記投写部は、前記第１の切替操作によって前記再開状態になった場合であって、かつ、前記携帯型情報記憶媒体が存在しない場合、あるいは、前記第１の切替操作によって前記再開状態になった場合であって、かつ、前記第２のコンテンツが存在しない場合、前記不揮発性メモリーに記憶された画像データに基づく画像を投写する、
プロジェクター。
【請求項５】
請求項１〜４のいずれかに記載のプロジェクターにおいて、
前記記憶制御部は、前記再生停止状態になった場合、前記第２のコンテンツを識別するための識別情報を前記停止情報の一部として前記不揮発性メモリーに記憶し、
前記再生制御部は、前記識別情報に基づき、再生停止時の第２のコンテンツと再生停止後の再生開始時の第２のコンテンツが一致している場合は前記停止情報に基づき、前記第２のコンテンツを前記再生部に再生させ、再生停止時の第２のコンテンツと再生停止後の再生開始時の第２のコンテンツが一致していない場合は、前記第２のコンテンツの先頭から前記再生部に再生させる、
プロジェクター。
【請求項６】
外部装置から第１のコンテンツが入力される第１の入力部と、携帯型情報記憶媒体に記憶された第２のコンテンツが入力される第２の入力部と、前記第２のコンテンツを再生する再生部と、前記第１のコンテンツまたは前記第２のコンテンツに基づく画像を投写する投写部とを含むプロジェクターの有するコンピューターが、
前記第２のコンテンツの再生が停止される再生停止状態になったかどうかを判定し、
前記再生停止状態になった場合、前記第２のコンテンツの再生停止位置を示す停止情報を不揮発性メモリーに記憶し、
前記第１の入力部を介した前記第１のコンテンツの入力から前記第２の入力部を介した前記第２のコンテンツの入力への第１の切替操作により、あるいは、前記携帯型情報記憶媒体が前記第２のコンテンツを出力可能な位置に配置されることにより、前記再生停止状態から再生開始状態になったことを示す再開状態になったかどうかを判定し、
前記再開状態になった場合、前記停止情報に基づき、前記再生停止位置から前記第２のコンテンツを前記再生部に再生させる再生制御方法。
【請求項７】
外部装置から第１のコンテンツが入力される第１の入力部と、携帯型情報記憶媒体に記憶された第２のコンテンツが入力される第２の入力部と、操作内容を示す操作情報が入力される操作情報入力部と、前記第２のコンテンツを再生する再生部と、前記第１のコンテンツまたは前記第２のコンテンツに基づく画像を投写する投写部とを含むプロジェクターの有するコンピューターが、
前記第２のコンテンツの再生が停止される再生停止状態になったかどうかを判定し、
前記再生停止状態になった場合、前記第２のコンテンツの再生停止位置を示す停止情報を不揮発性メモリーに記憶し、
前記操作内容が電源オン操作を示す前記操作情報が入力されることにより、前記再生停止状態から再生開始状態になったことを示す再開状態になったかどうかを判定し、
前記再開状態になった場合、前記停止情報に基づき、前記再生停止位置から前記第２のコンテンツを前記再生部に再生させる再生制御方法。
【発明の詳細な説明】
【技術分野】
【０００１】
本発明は、プロジェクターおよび再生制御方法に関する。
【背景技術】
【０００２】
特開２００５−２９２７０７号公報に記載されているように、記憶媒体の停止位置情報を記憶し、当該停止位置情報に基づいて再生動作を開始するプロジェクターが提供されている。このような機能はオートレジューム機能と呼ばれている。オートレジュームが実行される場合としては、例えば、再生キー押下による電源オンの場合、ディスクが挿入されたことによる電源オンの場合、再生キー押下による他ソースからディスクソースへのソース切替の場合、ディスク等のローディング時における再生キーが押された場合等が該当する。
【先行技術文献】
【特許文献】
【０００３】
【特許文献１】特開２００５−２９２７０７号公報
【発明の概要】
【発明が解決しようとする課題】
【０００４】
しかし、ソース切替操作（例えば、ＨＤＭＩケーブルを介した画像信号入力からＤＶＤの画像信号入力への切替操作等）による映像入力ソース切替の場合はオートレジュームが実行されていなかった。このため、このような場合はＤＶＤ等に記憶されたコンテンツの先頭から再生が行われていた。
【０００５】
また、このような場合にオートレジューム機能を有効にするためには、ユーザーは、ソース切替操作後のディスク等のローディング時に再生キーを押す必要があり、操作内容が複雑になってしまう。
【０００６】
本発明にかかるいくつかの態様は、上記課題を解決することにより、オートレジューム機能をより有効に活用することが可能なプロジェクターおよび再生制御方法を提供するものである。
【課題を解決するための手段】
【０００７】
本発明の態様の１つであるプロジェクターは、外部装置から第１のコンテンツが入力される第１の入力部と、携帯型情報記憶媒体に記憶された第２のコンテンツが入力される第２の入力部と、前記第２のコンテンツを再生する再生部と、前記第１のコンテンツまたは前記第２のコンテンツに基づく画像を投写する投写部と、前記第２のコンテンツの再生が停止される再生停止状態になったかどうかを判定する停止判定部と、前記再生停止状態になった場合、前記第２のコンテンツの再生停止位置を示す停止情報を不揮発性メモリーに記憶する記憶制御部と、前記第１の入力部を介した前記第１のコンテンツの入力から前記第２の入力部を介した前記第２のコンテンツの入力への第１の切替操作により、あるいは、前記携帯型情報記憶媒体が前記第２のコンテンツを出力可能な位置に配置されることにより、前記再生停止状態から再生開始状態になったことを示す再開状態になったかどうかを判定する再開判定部と、前記再開状態になった場合、前記停止情報に基づき、前記再生停止位置から前記第２のコンテンツを前記再生部に再生させる再生制御部と、を含むことを特徴とする。
【０００８】
また、本発明の態様の１つである再生制御方法は、外部装置から第１のコンテンツが入力される第１の入力部と、携帯型情報記憶媒体に記憶された第２のコンテンツが入力される第２の入力部と、前記第２のコンテンツを再生する再生部と、前記第１のコンテンツまたは前記第２のコンテンツに基づく画像を投写する投写部とを含むプロジェクターの有するコンピューターが、前記第２のコンテンツの再生が停止される再生停止状態になったかどうかを判定し、前記再生停止状態になった場合、前記第２のコンテンツの再生停止位置を示す停止情報を不揮発性メモリーに記憶し、前記第１の入力部を介した前記第１のコンテンツの入力から前記第２の入力部を介した前記第２のコンテンツの入力への第１の切替操作により、あるいは、前記携帯型情報記憶媒体が前記第２のコンテンツを出力可能な位置に配置されることにより、前記再生停止状態から再生開始状態になったことを示す再開状態になったかどうかを判定し、前記再開状態になった場合、前記停止情報に基づき、前記再生停止位置から前記第２のコンテンツを前記再生部に再生させることを特徴とする。
【０００９】
本発明によれば、プロジェクターは、いわゆるソース切替操作やディスクの挿入操作等の場合に再生指示を行わせることなくオートレジュームを行わせることができるため、オートレジューム機能をより有効に活用することができる。
【００１０】
また、本発明の態様の１つであるプロジェクターは、外部装置から第１のコンテンツが入力される第１の入力部と、携帯型情報記憶媒体に記憶された第２のコンテンツが入力される第２の入力部と、操作内容を示す操作情報が入力される操作情報入力部と、前記第２のコンテンツを再生する再生部と、前記第１のコンテンツまたは前記第２のコンテンツに基づく画像を投写する投写部と、前記第２のコンテンツの再生が停止される再生停止状態になったかどうかを判定する停止判定部と、前記再生停止状態になった場合、前記第２のコンテンツの再生停止位置を示す停止情報を不揮発性メモリーに記憶する記憶制御部と、前記操作内容が電源オン操作を示す前記操作情報が入力されることにより、前記再生停止状態から再生開始状態になったことを示す再開状態になったかどうかを判定する再開判定部と、前記再開状態になった場合、前記停止情報に基づき、前記再生停止位置から前記第２のコンテンツを前記再生部に再生させる再生制御部と、を含むことを特徴とする。
【００１１】
また、本発明の態様の１つである再生制御方法は、外部装置から第１のコンテンツが入力される第１の入力部と、携帯型情報記憶媒体に記憶された第２のコンテンツが入力される第２の入力部と、操作内容を示す操作情報が入力される操作情報入力部と、前記第２のコンテンツを再生する再生部と、前記第１のコンテンツまたは前記第２のコンテンツに基づく画像を投写する投写部とを含むプロジェクターの有するコンピューターが、前記第２のコンテンツの再生が停止される再生停止状態になったかどうかを判定し、前記再生停止状態になった場合、前記第２のコンテンツの再生停止位置を示す停止情報を不揮発性メモリーに記憶し、前記操作内容が電源オン操作を示す前記操作情報が入力されることにより、前記再生停止状態から再生開始状態になったことを示す再開状態になったかどうかを判定し、前記再開状態になった場合、前記停止情報に基づき、前記再生停止位置から前記第２のコンテンツを前記再生部に再生させることを特徴とする。
【００１２】
本発明によれば、プロジェクターは、電源オン操作の場合にユーザーに再生指示を行わせることなくオートレジュームを行うことができるため、オートレジューム機能をより有効に活用することができる。
【００１３】
また、前記停止判定部は、前記第２の入力部を介した前記第２のコンテンツの入力から前記第１の入力部を介した前記第１のコンテンツの入力への第２の切替操作により、前記再生停止状態になったかどうかを判定してもよい。
【００１４】
これによれば、プロジェクターは、いわゆるソース切替操作に応じて再生停止状態になったかどうかを判定することができる。
【００１５】
また、前記投写部は、前記第１の切替操作によって前記再開状態になった場合であって、かつ、前記携帯型情報記憶媒体が存在しない場合、あるいは、前記第１の切替操作によって前記再開状態になった場合であって、かつ、前記第２のコンテンツが存在しない場合、前記不揮発性メモリーに記憶された画像データに基づく画像を投写してもよい。
【００１６】
これによれば、プロジェクターは、第１の切替操作があった場合に第２のコンテンツに基づく画像の投写を行えない場合であっても、あらかじめ記憶された画像データに基づく画像を投写することができるため、オートレジューム機能をより有効に活用することができる。
【００１７】
また、前記記憶制御部は、前記再生停止状態になった場合、前記第２のコンテンツを識別するための識別情報を前記停止情報の一部として前記不揮発性メモリーに記憶し、前記再生制御部は、前記識別情報に基づき、再生停止時の第２のコンテンツと再生停止後の再生開始時の第２のコンテンツが一致している場合は前記停止情報に基づき、前記第２のコンテンツを前記再生部に再生させ、再生停止時の第２のコンテンツと再生停止後の再生開始時の第２のコンテンツが一致していない場合は、前記第２のコンテンツの先頭から前記再生部に再生させてもよい。
【００１８】
これによれば、プロジェクターは、内容が一致しているかどうかに応じた再生を行うことができるため、より正確にオートレジュームを行うことができる。
【図面の簡単な説明】
【００１９】
【図１】第１の実施例におけるプロジェクターの外観図である。
【図２】第１の実施例におけるプロジェクターの機能ブロック図である。
【図３】第１の実施例におけるオートレジューム手順を示すフローチャートである。
【図４】第２の実施例におけるオートレジューム手順を示すフローチャートである。
【図５】第３の実施例におけるオートレジューム手順を示すフローチャートである。
【発明を実施するための形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の外観図である。プロジェクター１００は、ＤＶＤプレーヤーと一体化された携帯型のプロジェクターである。プロジェクター１００は、携帯型情報記憶媒体の一種であるＤＶＤを挿入可能なスロットを前面に有しており、外部装置（例えば、ＰＣ、ＨＤＤレコーダー、テレビ等）からのコンテンツ（画像信号、音声信号等）を入力可能な外部接続端子（例えば、ＨＤＭＩ端子、ビデオ端子等）を背面に有している。
【００２２】
また、本実施例のプロジェクター１００は、外部接続端子からの入力からＤＶＤからの入力への切替（ソース切替）の際、元の停止位置からＤＶＤのコンテンツを再生するオートレジューム機能を有している。次に、このような機能を有するプロジェクター１００の機能ブロックについて説明する。
【００２３】
図２は、第１の実施例におけるプロジェクター１００の機能ブロック図である。プロジェクター１００は、上述した外部接続端子を有する第１の入力部１１０と、上述したＤＶＤを挿入可能なスロットを有する第２の入力部１２０と、ＤＶＤに記憶された第２のコンテンツを再生する再生部１３０と、ユーザー操作に応じた操作情報が入力される操作情報入力部１４０と、種々の処理を実行する処理部１５０と、不揮発性メモリー１６０と、音声出力部１７０と、投写部１９０を含んで構成されている。
【００２４】
また、処理部１５０は、画像生成部１５１と、音声生成部１５２と、第２のコンテンツの再生が停止される再生停止状態になったかどうかを判定する停止判定部１５４と、第２のコンテンツの再生停止状態になった場合、第２のコンテンツの再生停止位置を示す停止情報１６２を不揮発性メモリー１６０に記憶する記憶制御部１５６と、再開状態になったかどうかを判定する再開判定部１５５と、再開状態になった場合、停止情報１６２に基づき、再生停止位置から第２のコンテンツを再生部１３０に再生させる再生制御部１５３を含んで構成されている。
【００２５】
また、不揮発性メモリー１６０は、停止情報１６２、画像データ１６４等を記憶する。なお、停止情報１６２は、ＤＶＤおよび第２のコンテンツを識別するための識別情報、再生停止位置を示す情報等を含む。また、画像データ１６４は、あらかじめ設定された画像（例えば、画像全体が白色の画像、画像全体が黒色の画像等）、ユーザーによって設定された画像（例えば、ユーザーロゴ画像等）等を示すデータである。
【００２６】
また、プロジェクター１００は、以下のハードウェアを用いてこれらの各部として機能してもよい。例えば、プロジェクター１００は、再生部１３０は光ピックアップ部等、操作情報入力部１４０は受光ユニット等、処理部１５０はＣＰＵ、画像処理回路、音声処理回路等、音声出力部１７０はアンプ、スピーカー等、投写部１９０はランプ、液晶パネル、液晶駆動回路、レンズ等を用いてもよい。
【００２７】
次に、再生制御部１５３等を用いたオートレジューム手順について説明する。図３は、第１の実施例におけるオートレジューム手順を示すフローチャートである。
【００２８】
プロジェクター１００は、第２の入力部１２０からの第２のコンテンツに基づき、画像を投写し、音声を出力する（ステップＳ１）。例えば、プロジェクター１００は、ＤＶＤに記憶された信号に基づいて画像を投写し、音声を出力する。
【００２９】
停止判定部１５４は、操作情報入力部１４０からの操作情報に基づき、第１の入力部１１０へのソース切替操作（第２の切替操作）があったかどうかを判定することにより、第２のコンテンツの再生が停止される再生停止状態になったかどうかを判定する（ステップＳ２）。
【００３０】
第１の入力部１１０へのソース切替操作があった場合、記憶制御部１５６は、識別情報、再生停止位置を示す情報等を含む停止情報１６２を不揮発性メモリー１６０に記憶する（ステップＳ３）。なお、識別情報は、例えば、メディアの種別を示す情報、メディアの識別情報、コンテンツの識別情報、ファイル名等である。
【００３１】
第１の入力部１１０へのソース切替後、画像生成部１５１は、第１の入力部１１０からの第１のコンテンツに基づき、画像を生成し、投写部１９０は当該画像を投写する。また、音声生成部１５２は、第１の入力部１１０からの第１のコンテンツに基づき、音声を生成し、音声出力部１７０は当該音声を出力する（ステップＳ４）。
【００３２】
再開判定部１５５は、操作情報入力部１４０からの操作情報に基づき、第２の入力部１２０へのソース切替操作（第１の切替操作）があったかどうかを判定することにより、第２のコンテンツの再開状態になったかどうかを判定する（ステップＳ５）。
【００３３】
第２のコンテンツの再開状態になった場合、再開判定部１５５は、第２の入力部１２０からの情報に基づき、ＤＶＤがスロットに挿入されており、かつ、ＤＶＤに第２のコンテンツが記憶されているかどうかを判定する（ステップＳ６）。
【００３４】
当該判定結果が偽の場合、画像生成部１５１は、画像データ１６４に基づき、画像を生成し、投写部１９０は当該画像を投写する（ステップＳ１０）。一方、当該判定結果が真の場合、再開判定部１５５は、ＤＶＤの第２のコンテンツの識別情報が停止情報１６２に含まれる識別情報と一致しているかどうかを判定する（ステップＳ７）。
【００３５】
ＤＶＤの第２のコンテンツの識別情報が停止情報１６２に含まれる識別情報と一致していない場合、再生制御部１５３は、再生部１３０にＤＶＤの最初から第２のコンテンツを再生させ、投写部１９０はＤＶＤの最初からの画像を投写し、音声出力部１７０はＤＶＤの最初からの音声を出力する（ステップＳ９）。
【００３６】
一方、ＤＶＤの第２のコンテンツの識別情報が停止情報１６２に含まれる識別情報と一致している場合、再生制御部１５３は、再生部１３０にＤＶＤの前回の再生停止位置から第２のコンテンツを再生させ、投写部１９０はＤＶＤの前回の再生停止位置からの画像を投写し、音声出力部１７０はＤＶＤの前回の再生停止位置からの音声を出力する（ステップＳ８）。
【００３７】
以上のように、本実施例によれば、プロジェクター１００は、第２の入力部１２０へのソース切替操作があった場合、ユーザーに再生指示操作等を行わせることなく、自動的に前回の再生停止位置から第２のコンテンツを再生させることができる。これにより、プロジェクター１００は、オートレジューム機能をより有効に活用することができ、ユーザーの使い勝手を向上させることができる。
【００３８】
（第２の実施例）
本実施例では、第２のコンテンツの再生停止状態でＤＶＤが挿入された場合のオートレジュームについて説明する。
【００３９】
図４は、第２の実施例におけるオートレジューム手順を示すフローチャートである。プロジェクター１００は、第２の入力部１２０からの第２のコンテンツに基づき、画像を投写し、音声を出力する（ステップＳ１１）。
【００４０】
停止判定部１５４は、操作情報入力部１４０からの操作情報に基づき、ＤＶＤの取り出し操作があったかどうかを判定することにより、第２のコンテンツの再生停止状態になったかどうかを判定する（ステップＳ１２）。
【００４１】
ＤＶＤの取り出し操作があった場合、記憶制御部１５６は、識別情報、再生停止位置を示す情報等を含む停止情報１６２を不揮発性メモリー１６０に記憶する（ステップＳ１３）。
【００４２】
再開判定部１５５は、操作情報入力部１４０からの操作情報または第２の入力部１２０からの情報に基づき、ＤＶＤの挿入（第２のコンテンツを出力可能な位置に配置）があったかどうかを判定することにより、第２のコンテンツの再開状態になったかどうかを判定する（ステップＳ１４）。
【００４３】
第２のコンテンツの再開状態になった場合、再生制御部１５３は、再生部１３０にＤＶＤの前回の再生停止位置から第２のコンテンツを再生させ、投写部１９０はＤＶＤの前回の再生停止位置からの画像を投写し、音声出力部１７０はＤＶＤの前回の再生停止位置からの音声を出力する（ステップＳ１５）。
【００４４】
以上のように、本実施例によれば、プロジェクター１００は、ＤＶＤの挿入があった場合、ユーザーに再生指示操作等を行わせることなく、自動的に前回の再生停止位置から第２のコンテンツを再生させることができる。これにより、プロジェクター１００は、オートレジューム機能をより有効に活用することができ、ユーザーの使い勝手を向上させることができる。
【００４５】
（第３の実施例）
本実施例では、第２のコンテンツの再生停止状態でプロジェクター１００の電源がオンになった場合のオートレジュームについて説明する。
【００４６】
図５は、第３の実施例におけるオートレジューム手順を示すフローチャートである。プロジェクター１００は、第２の入力部１２０からの第２のコンテンツに基づき、画像を投写し、音声を出力する（ステップＳ２１）。
【００４７】
停止判定部１５４は、操作情報入力部１４０からの操作情報に基づき、プロジェクター１００の電源をオフにする操作があったかどうかを判定することにより、第２のコンテンツの再生停止状態になったかどうかを判定する（ステップＳ２２）。
【００４８】
プロジェクター１００の電源をオフにする操作があった場合、記憶制御部１５６は、識別情報、再生停止位置を示す情報等を含む停止情報１６２を不揮発性メモリー１６０に記憶する（ステップＳ２３）。
【００４９】
再開判定部１５５は、操作情報入力部１４０からの操作情報に基づき、プロジェクター１００の電源をオンにする操作があったかどうかを判定することにより、第２のコンテンツの再開状態になったかどうかを判定する（ステップＳ２４）。
【００５０】
第２のコンテンツの再開状態になった場合、再生制御部１５３は、再生部１３０にＤＶＤの前回の再生停止位置から第２のコンテンツを再生させ、投写部１９０はＤＶＤの前回の再生停止位置からの画像を投写し、音声出力部１７０はＤＶＤの前回の再生停止位置からの音声を出力する（ステップＳ２５）。
【００５１】
以上のように、本実施例によれば、プロジェクター１００は、プロジェクター１００の電源をオンにする操作があった場合、ユーザーに再生指示操作等を行わせることなく、自動的に前回の再生停止位置から第２のコンテンツを再生させることができる。これにより、プロジェクター１００は、オートレジューム機能をより有効に活用することができ、ユーザーの使い勝手を向上させることができる。
【００５２】
（その他の実施例）
なお、本発明の適用は上述した実施例に限定されず、種々の変形が可能である。例えば、上述した第１の実施例、第２の実施例および第３の実施例は組み合わせられてもよい。例えば、プロジェクター１００は、第２の実施例および第３の実施例においても、第１の実施例と同様に、識別情報との一致等の判定を行ってもよい。
【００５３】
また、再開判定部１５５は、ＨＤＭＩケーブル等を介して他ソースから第１のコンテンツを入力している状態でＤＶＤの挿入があった場合にソース切替操作があったと判定して第２のコンテンツの再開状態になったと判定してもよい。
【００５４】
また、停止判定部１５４は、第２のコンテンツの再生中において、操作情報入力部１４０からの操作情報に基づき、停止操作または一時停止操作があった場合に第２のコンテンツの再生停止状態になったと判定してもよい。
【００５５】
また、第２のコンテンツを有する携帯型情報記憶媒体は、ＤＶＤに限定されず、例えば、ブルーレイディスク、ＵＳＢメモリー、カード型情報記憶媒体等であってもよい。例えば、ＵＳＢメモリーが適用される場合、ＵＳＢスロットが第２の入力部１２０に該当し、当該ＵＳＢスロットにＵＳＢメモリーが差し込まれた状態が第２のコンテンツを出力可能な位置に配置された状態に該当する。
【００５６】
また、プロジェクター１００は、情報記憶媒体に記憶されたプログラムを読み取ることにより、上述したプロジェクター１００の各部として機能してもよい。
【００５７】
また、プロジェクター１００は、液晶プロジェクター（透過型、ＬＣＯＳ等の反射型）に限定されず、例えば、デジタルマイクロミラーデバイスを用いたプロジェクター等であってもよい。また、プロジェクター１００の機能を複数の装置（例えば、ＰＣとプロジェクター等）に分散してもよい。
【符号の説明】
【００５８】
１００  プロジェクター、１１０  第１の入力部、１２０  第２の入力部、１３０  再生部、１４０  操作情報入力部、１５０  処理部、１５１  画像生成部、１５２  音声生成部、１５３  再生制御部、１５４  停止判定部、１５５  再開判定部、１５６  記憶制御部、１６０  不揮発性メモリー、１６２  停止情報、１６４  画像データ、１７０  音声出力部、１９０  投写部
【図１】
2011053454.tif 000003
【図２】
2011053454.tif 000004
【図３】
2011053454.tif 000005
【図４】
2011053454.tif 000006
【図５】
2011053454.tif 000007